(57)【特許請求の範囲】
【請求項１】
単繊維表面の少なくとも一部にトコフェロール同族体が付着している繊維において、該トコフェロール同族体のうち、α型トコフェロールが繊維１００重量部に対して０．０１〜０．５重量部付着しており、トコフェロール同族体のうち、α型トコフェロール／残りのトコフェロール同族体の重量比が、２／８〜７／３であることを特徴とする繊維。
【請求項２】
α型トコフェロール／｛γ型トコフェロールおよび／またはδ型トコフェロール｝／残りのトコフェロール同族体の重量比が、２／７／１〜７／３／０であることを特徴とする請求項１に記載の繊維。
【請求項３】
トコフェロール同族体以外に親水性繊維処理剤が繊維１００重量部に対して０．１〜１重量部付着していることを特徴とする請求項１または２に記載の繊維。
【請求項４】
親水性繊維処理剤が燐酸エステルカリウム塩を含む、請求項３に記載の繊維。
【請求項５】
請求項１〜４に記載の繊維からなる繊維製品。
【発明の詳細な説明】
【０００１】
【発明の属する技術分野】
本発明は、血行を良くし、かぶれを抑制する効果のある繊維および繊維製品に関するものであり、紙オムツ、生理用ナプキン、包帯、ガーゼ等の衛生材料、使い捨て肌着、ウェットティッシュ、化粧パフ等の対人用ワイパーなどに好適な繊維および繊維製品に関する。
【０００２】
【従来の技術】
従来より、紙オムツや生理用ナプキンなどのように人体に接触する繊維製品において、かぶれが重要視されており、特に、オムツかぶれの要因としては、汚物によって発生するカンジダ菌など種々の細菌の繁殖、オムツの通気性（汗などの蒸れ）、表面紙との摩擦、尿、便との接触による化学反応などが考えられている。中でも、細菌の繁殖が重要視され、これらの繁殖を抑制してオムツかぶれを防止しようする試みがなされている。
【０００３】
例えば、特開昭６１−２８０７８号公報には、クマザサとハトムギとその他の植物エキス油を布地や紙製品に塗布したものが提案されている。また、特公昭６３−５４０１３号公報、特開昭６３−１７５１１７号公報、特開平１−２５０４１３号公報には、ゼオライトに担持させた抗菌性金属のイオン解離により抗菌性を付与した繊維、並びに繊維製品が提案されている。さらに、その他にもビグアナイト誘導体、有機シリコン系第4級アンモニウム塩を用いて抗菌性を付与したものもある。そして、上記以外にも人体への影響を考え、天然物より抽出した抗菌剤の使用例もある。特開平５−５２７４号公報には、キチンの脱アセチル化物を、特開平９−１０８２６１号公報には、グリチルリチンやフィトンチドをシクロデキストリンに包接化したものを用いて、抗菌、抗かびおよび防臭効果によってオムツかぶれを抑制しようとしたものが提案されている。
【０００４】
【発明が解決しようとする課題】
しかしながら、上記繊維および繊維製品には以下の問題点が挙げられる。例えば、特開昭６１−２８０７８号公報では、天然物より抽出されたトコフェロール同族体の大半（約６０〜８０％以上）はγ型であり、実際、生体内における生物活性を有するα型は多くとも２０％程度であり、かぶれの抑制には十分とはいえない。さらに、油脂（リノール酸）を含むことで光（紫外線）などにより酸化劣化が生じ、皮膚の脂質の酸化、過酸化脂質を誘発する恐れがある。また、抗菌性物質を含有する繊維製品は、細菌などの繁殖を抑制する効果があるとしても、本質的なオムツかぶれの原因についての対策が講じられておらず、その効果は十分とはいえない。
【０００５】
本発明はかかる実情を鑑みてなされたものであり、血行を良くし、かぶれに効果のある、紙オムツ、生理用ナプキン、包帯、ガーゼ等の衛生材料、使い捨て肌着、ウェットティッシュ、化粧パフ等の対人用ワイパーなどに好適な繊維および繊維製品を提供することを目的とする。
【０００６】
【課題を解決するための手段】
本発明の繊維は、単繊維表面の少なくとも一部にトコフェロール同族体が付着している繊維において、該トコフェロール同族体のうち、α型トコフェロールが繊維１００重量部に対して０．０１〜０．５重量部付着していることを特徴とする。かかる構成を採ることにより、外的要因でオムツかぶれを抑制するのではなく、人体の内面すなわち血行を促進し、かつ皮膚表面の酸化劣化を抑制することによって、内的にオムツかぶれを抑制できることが判り、本発明に至った。
【０００７】
本発明の繊維において、トコフェロール同族体のうち、α型トコフェロール／残りのトコフェロール同族体の重量比は、２／８〜７／３であることが望ましい。
【０００８】
本発明の繊維において、トコフェロール同族体以外の親水性繊維処理剤は、繊維１００重量部に対して０．１〜１重量部付着していることが望ましい。
【０００９】
そして、本発明の繊維からなる繊維製品は、人体の血行を促進し、かつ皮膚表面の酸化劣化が抑制されて、オムツなどのかぶれ抑制に寄与する。
以下、本発明の内容を具体的に説明する。
【００１０】
【発明の実施の形態】
本発明の繊維とは、繊維形態を有するものであれば、特に限定されず、例えば、レーヨン等の再生繊維、アクリル系繊維、ナイロン６、ナイロン６６等のポリアミド系繊維、ポリエチレンテレフタレート、ポリブチレンテレフタレート等のポリエステル系繊維、ポリエチレン、ポリプロピレン等のポリオレフィン系繊維等の長繊維、あるいは短繊維のことを示し、繊維形状等も特に限定されず、単一繊維、芯鞘型複合繊維、分割型複合繊維、異形断面を有する繊維、中空繊維等をいずれであってもよい。
【００１１】
例えば、本発明の繊維を衛生材料用途の表面シートに使用する場合であれば、ポリプロピレン／ポリエチレン、ポリエチレンテレフタレート／ポリエチレン、ポリプロピレン／エチレン−プロピレン共重合体、ポリエチレンテレフタレート／エチレン−プロピレン共重合体などの組合せからなる熱接着性芯鞘型複合繊維や分割型複合繊維などが好適である。
【００１２】
また、本発明の繊維における繊度も特に限定されるものではなく、用途に応じて適宜設定すれば良いが、表面シートとして用いる場合であれば、風合いを重視し、２〜６dtexが好ましい。
【００１３】
本発明における繊維製品は、不織布、網状物、編織物など単繊維からなる形態を有するものであればいずれであってもよく、トコフェロール同族体を予め付着させた繊維から繊維製品を得てもよいし、未処理の単繊維を繊維製品に加工した後に、繊維製品を構成する単繊維の少なくとも一部にトコフェロール同族体が付着するように処理してもよい。繊維製品が例えば不織布の場合、構成する繊維ウェブの形態としては、特に限定されるものではなく、ステープル繊維からなるパラレルウェブやクロスウェブ、セミランダムウェブ、連続フィラメントからなる長繊維ウェブ、短繊維を湿式抄紙したウェブ、エアレイウェブ、あるいはメルトブロー不織布等を任意に使用することができる。不織布の風合い、柔軟性を重視する場合であれば、ステープル繊維からなる繊維ウェブが好ましい。
【００１４】
不織布の加工法においても特に限定されず、熱風吹き付け法、熱ロール法などからなるサーマルボンド法、スパンボンド法、湿式抄紙法、ニードルパンチ法、スパンレース法など公知の方法を採ることができ、任意に選択すればよい。特に、衛生材料（特に乳幼児のオムツ）の表面シートであれば、肌との摩擦によるこすれを考慮し、風合いのよいサーマルボンド不織布が一般的に用いられており、それに用いられる繊維は、熱接着性芯鞘型複合繊維が好適である。また、スパンボンド法、湿式抄紙法、スパンレース法などにおいては、製造工程上、不織布作製後、後加工にて調製したトコフェロール同族体をスプレーまたは含浸するとよい。
【００１５】
繊維ウエブの目付は、特に限定されるものではないが、例えば衛生材料の表面シートであれば、目付１５〜４０g/m2程度が好ましい。
【００１６】
そして、前記繊維および繊維製品において、単繊維表面の少なくとも一部に付着しているトコフェロールは、一般に大豆油、菜種油より抽出、精製、濃縮して得られるものであって、α型、β型、γ型、およびδ型のトコフェロール同族体によって形成される。そして、本発明においては、トコフェロール同族体のうち、α型トコフェロールが繊維１００重量部に対して０．０１〜０．５重量部付着していることが好ましい。α型トコフェロールの付着量が０．０１重量部未満であると、かぶれ抑制が十分とはいえず、０．５重量部を超えても有意差は確認できず、高コストとなり、機能面とのバランスにおいて不利となるからである。
【００１７】
また、残りの同族体であるβ型、γ型およびδ型トコフェロールも含むことで繊維処理剤の酸化を抑制し、腐敗の防止にもつながり、繊維処理剤のランニングコストの低減することができ、都合がよい。本発明においては、トコフェロール同族体のうち、α型トコフェロール／残りのトコフェロール同族体の重量比は、２／８〜７／３であることが好ましい。より好ましくは、３／７〜５／５である。重量比が２／８未満であると、自然界の植物油中に含まれる一般的な割合であり、α型トコフェロールの割合が少なくなると、生物活性が小さくなり、重量比が７／３を超えると、生体外すなわち繊維処理剤などに抗酸化阻害が起きる恐れがあり、コスト的にも割高なものとなるからである。
【００１８】
さらに、残りトコフェロールのうち、γ型トコフェロールやδ型トコフェロールが繊維処理剤の酸化抑制に特に効果があり、α型トコフェロール／｛γ型トコフェロールおよび／またはδ型トコフェロール｝／残りのトコフェロール同族体の重量比は、２／７／１〜７／３／０であることが好ましい。
【００１９】
そして、ビタミンＥの主成分であるトコフェロール同族体以外にも、別の薬剤を添加してもよい。例えば、ビタミンＥ以外のビタミンＡ、ビタミンＣなどのビタミン剤が挙げられ、特にビタミンＡは、トコフェロール同族体の吸収効率を高めることができ好適である。
【００２０】
次に、本発明の繊維および繊維製品の製造方法について説明する。まず、トコフェロール同族体（α型、β型、γ型、およびδ型）を所定の割合に調製する。そして、調製されたトコフェロール同族体は、油状であるため、公知の乳化剤で乳化することによって通常の繊維処理剤に添加でき、容易に溶解することができる。これにより、従来の化学繊維、合成繊維の製造工程において、極めて容易に単繊維表面に所望のトコフェロール同族体を付着させることができる。このとき用いられる繊維処理剤は、いずれであってもよいが、親水性の繊維処理剤であると、例えば、吸収性物品の表面シートに使用した場合、液体透過性に優れ、液体を吸収体に迅速に移行させることができる点で優れている。親水性繊維処理剤の付着量は、繊維１００重量部に対して０．１〜１重量部であることが好ましい。付着量が０．１重量部未満であると、静電気が発生し易く、工程性に劣るだけでなく、十分な親水性能が得られない。付着量が１重量部を超えると、カード工程での開繊不良が発生し易いだけでなく、コスト高となる。
【００２１】
そして、トコフェロール同族体は、繊維製造時の延伸後、あるいは通常の繊維処理剤を付着または未処理の繊維を得たのち繊維製品へ加工した後、スプレーおよび／または含浸させることによって付着させることができる。トコフェロール同族体は、熱安定性に優れており、繊維処理剤付着後の乾燥工程や熱接着性繊維として用いたときの不織布加工温度領域でも安定なことから、繊維製造工程内での付着処理がコスト面でも優位である。
【００２２】
【実施例】
以下、本発明の内容について実施例を挙げて説明する。
［実施例１］
まず、仕上げ処理油剤槽に燐酸エステルカリウム塩を主体とする親水性繊維処理剤が純分１．５％になるように調製した。そして、重量比でα型／β型／γ型／δ型＝５０／２／４５／３となるように調製、乳化されたトコフェロール同族体を仕上げ処理油剤槽に添加し、トコフェロール同族体の純分が０．１％になるように調製し、準備した。
【００２３】
次に、芯成分にポリエチレンテレフタレート、鞘成分に高密度ポリエチレンを容積比で１／１の割合で配した円形芯鞘型ノズルを用いて溶融紡糸を行い、繊度６dtexの未延伸糸を得た。次いで、未延伸糸を８０℃の温水中で３倍に延伸し、連続して延伸糸を予め調製した仕上げ処理油剤槽に浸漬させ、スタフィンボックス型クリンパーにて機械捲縮を１５山／２５mmの割合で付与した。これを熱風乾燥機にて１１０℃で１５分間乾燥し、水分を除去した後に、５１mmの繊維長に切断して、繊度２．２dtexのステープル繊維を得た。
【００２４】
得られたステープル繊維を１００ｇ採取し、含まれる油分およびトコフェロール同族体をクロロホルムとメタノールの１：１混合溶剤にて抽出し、液体クロマトグラフによりトコフェロール同族体の総付着量および各同族体の付着量を同定した。チャートのピーク面積より算出した結果、トコフェロール同族体の単繊維表面への総付着量は、０．０５重量部であった。そして、各同族体の付着率はα型、γ型それぞれ０．０３重量部、０．０２重量部であった。β型、δ型については、微量であったため検出するには至らなかった。
【００２５】
［比較例１］トコフェロール同族体の割合をα型／γ型＝９０／１０とし、さらに仕上げ処理油剤槽でのトコフェロール同族体の純分を０．８％とした以外は実施例１と同様の方法でステープル繊維を得た。トコフェロール同族体の付着量を測定した結果、α型、γ型それぞれ、０．３０重量部、０．０３重量部であった。
【００２６】
［比較例２］トコフェロール同族体を用いないこと以外は、実施例１と同様の方法でステープル繊維を得た。
【００２７】
［比較例３］トコフェロール同族体として、調製を行わずに大豆油に含まれているそのままの割合、α型／β型／γ型／δ型＝１０／０／６０／３０とした以外は、実施例１と同様に方法でステープル繊維を得た。トコフェロール同族体の付着量を測定した結果、α型、β型、γ型、およびδ型それぞれ、０．００５重量部、０、０．０３５重量部、０．０１重量部であった。
【００２８】
実施例、比較例で得たステープル繊維をパラレルカードにて目付２０g/m2の繊維ウェブを作製した後、熱風加工機にて１４０℃で５秒間熱処理を施し、サーマルボンド不織布となした。各不織布を紙オムツの表面シートとして評価すると、特に実施例１において、皮膚かぶれが起きることなく、十分な効果が得られた。しかも実施例１は、α型トコフェロール／γ型およびδ型トコフェロール／他のトコフェロールを５０／４８／２の割合で含有することにより、繊維処理剤を長期間保管していても、酸化が抑制されて腐敗することはなかった。
【００２９】
【発明の効果】
本発明の繊維および繊維製品は、単繊維表面の少なくとも一部に、α型トコフェロールが繊維１００重量部に対して０．０１〜０．５重量部付着していることにより、人体の毛細血管を拡張し、血行促進を促すことができ、また、抗酸化作用および過酸化脂質の抑制により、皮膚中の脂質の酸化に伴う皮膚表面、肌荒れの防止を促すことができるので、紙オムツ、生理用ナプキンなどの衛生材料のように人体に直接接触したときのかぶれの抑制に効果がある。
そして、本発明の繊維および繊維製品は、紙オムツ、生理用ナプキン、包帯、ガーゼ等の衛生材料、使い捨て肌着、ウェットティッシュ、化粧パフ等の対人用ワイパーなどに好適である。